(57)【要約】【課題】  強度を保ちつつ外装の美観を向上させ、表示部や操作部といったユーザインターフェースにも一体的に装飾を施すことで、高級感や購買欲を向上させることを目的とする。【解決手段】  本発明の携帯端末は、画像を表示する表示部１１４とユーザ入力を受け付ける複数の操作キーからなる操作部１１６とが設けられた筐体１０２と、筐体の表示部および操作部が配された面に、模様を形成する下地層１３０、透明性の部材１３２、下地層の模様に相関する模様を形成する表面層１３４、の順に積層されてなる装飾部１０４と、を備えることを特徴とする。【選択図】    図２
2010011086.tif 000002
【特許請求の範囲】
【請求項１】
画像を表示する表示部とユーザ入力を受け付ける複数の操作キーからなる操作部とが設けられた筐体と、
前記筐体の表示部および操作部が配された面に、模様を形成する下地層、透明性の部材、該下地層の模様に相関する模様を形成する表面層、の順に積層されてなる装飾部と、
を備えることを特徴とする携帯端末。
【請求項２】
前記透明性の部材は、前記下地層および表面層の模様と同系統の色彩に染着されていることを特徴とする請求項１に記載の携帯端末。
【請求項３】
前記操作部にも装飾部が重畳され、
前記透明性の部材の前記操作キーに対応するキートップ部は、その機能を示すマークが該透明性の部材の凹凸によって形成されていることを特徴とする請求項１または２のいずれかに記載の携帯端末。
【請求項４】
前記表示部は、前記操作部と同一側の面に配され、前記装飾部の模様に相関かつ連続した模様の画像を表示できることを特徴とする請求項１から３のいずれか１項に記載の携帯端末。
【発明の詳細な説明】
【技術分野】
【０００１】
本発明は、基地局と無線通信可能な携帯端末に関する。
【背景技術】
【０００２】
近年、ＰＨＳ(Personal Handy phone System)や携帯電話等の携帯端末が普及し、通信品質および通信レートの向上と共にその小型化、軽量化が求められている。また、このような携帯端末の製造業者は、国内外に広がり、その携帯端末の形状、機能は多岐に亘る。最近では、携帯端末の操作部周囲に装飾を施し、その機能と共に美観を奏する携帯端末も見かけられるようになった。
【０００３】
例えば、押釦スイッチ用部材のキートップ部（透明性樹脂部）の上下に装飾を施して、表示部の文字、記号、絵柄等の装飾を立体的に視認させる技術が開示されている（例えば、特許文献１）。
【特許文献１】特開２００４−０７９２１４号公報
【発明の開示】
【発明が解決しようとする課題】
【０００４】
近年、上述したような携帯端末の既存の機能を維持しながらの小型化、軽量化は、ある程度限界に達しており、ユーザの興味は携帯端末の形状や外装に向かっている。こうしたことから携帯端末の携帯性を重視して、一般的に薄型の携帯端末が求められているが、内部部品の高さ制限から著しい薄型化は困難を極めている。ここで、携帯端末の彩色を工夫し、薄く感じる彩色を施すことも検討されているが、このような彩色のみによっては薄さの表現に限界がある。
【０００５】
また、携帯端末表面のみの彩色では、全体的に単調な外装になってしまい、携帯端末への飽きを促進してしまう。
【０００６】
また、特徴ある彩色が実現できたとしても、大きな表示部や入力し易い操作部が、外観上彩色より目立ってしまい、その美観を損ねる結果を招いていた。
【０００７】
本発明は、このような課題に鑑み、強度を保ちつつ外装の美観を向上させ、表示部や操作部といったユーザインターフェースにも一体的に装飾を施すことで、高級感や購買欲を向上させることが可能な携帯端末を提供することを目的としている。
【課題を解決するための手段】
【０００８】
上記課題を解決するために、本発明の代表的な構成は、画像を表示する表示部とユーザ入力を受け付ける複数の操作キーからなる操作部とが設けられた筐体と、筐体の表示部および操作部が配された面に、模様を形成する下地層、透明性の部材、下地層の模様に相関する模様を形成する表面層、の順に積層されてなる装飾部と、を備えることを特徴とする。
【０００９】
携帯端末前面に亘って形成される装飾部の透明性の部材によって、その強度を保ちつつ、美観を向上させることができる。また、透明性の部材の光透過性により、装飾部自体が本体と一体的に認識されず、表面の付帯物として認識され、実際の寸法より薄くかつ軽いようにユーザに認識させることができる。
【００１０】
また、透明性の部材を挟んで下地層および表面層の両層に互いに相関する模様を施すことで、装飾部に、立体感や視認角度に応じた外観の変化を生じさせることが可能となり、下地層の模様と表面層の模様の調和およびその意外性から嗜好性を高めることができる。
【００１１】
さらに、操作部を含む携帯端末前面に亘って下地層および表面層の両層に模様が一体的かつ連続的（シームレス）に施されることで、操作部の存在を意識させないようにでき、極論的にはユーザに対して携帯端末として認識させずに、何らかの美術品のような感覚を与えることができる。こうして、高級感やユーザの購買欲を向上させることが可能となる。
【００１２】
透明性の部材は、下地層および表面層の模様と同系統の色彩に染着されていてもよい。
【００１３】
かかる構成により、下地層および表面層の両層の模様に透明性の部材も馴染むこととなり、装飾部にさらなる立体感や視認角度による外観の変化が生じ、下地層の模様と表面層の模様とが当該透明性の部材の両面でさらに調和し、高級感やユーザの購買欲を向上させることが可能となる。
【００１４】
操作部にも装飾部が重畳され、透明性の部材の操作キーに対応するキートップ部は、その機能を示すマークが透明性の部材の凹凸によって形成されていてもよい。
【００１５】
このように操作キーの機能を示すマーク、例えば数字等を他の部位同様に透明性の部材で形成することで、操作部の領域を通じても美観を奏することができ、また、その光透過性から操作部の存在をユーザにより強く意識させないことが可能となる。
【００１６】
表示部は、操作部と同一側の面に配され、装飾部の模様に相関かつ連続した模様の画像を表示できる。
【００１７】
かかる構成により、電源投入時や待ち受け時において、表示部に、装飾部の模様に相関かつ連続した模様を表示させることができ、表示部も含む携帯端末前面に亘って下地層および表面層の両層に模様が一体的かつ連続的（シームレス）に施されることで、操作部に加えて表示部の存在をユーザにより強く意識さないことが可能となる。
【発明の効果】
【００１８】
以上説明したように本発明は、強度を保ちつつ外装の美観を向上させ、表示部や操作部といったユーザインターフェースにも一体的に装飾を施すことで、高級感や購買欲を向上させることが可能となる。
【発明を実施するための最良の形態】
【００１９】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２０】
（ＰＨＳ端末１００）
図１は、携帯端末としてのＰＨＳ端末１００のハードウェア構成を示した機能ブロック図であり、図２は、ＰＨＳ端末１００の外観を示した斜視図である。ＰＨＳ端末１００は、大きく筐体１０２と、装飾部１０４とから構成され、筐体１０２は、端末制御部１１０と、端末メモリ１１２と、表示部１１４と、操作部１１６と、音声入力部１１８と、音声出力部１２０と、端末無線通信部１２２とを含んで構成される。
【００２１】
また、ここでは、携帯端末としてＰＨＳ端末を挙げているが、かかる場合に限らず、携帯電話、ノート型パーソナルコンピュータ、ＰＤＡ（Personal Digital Assistant）、デジタルカメラ、音楽プレイヤー、カーナビゲーション、ポータブルテレビ、ゲーム機器、ＤＶＤプレイヤー、リモートコントローラ等無線通信可能な様々な電子機器を携帯端末として用いることもできる。
【００２２】
端末制御部１１０は、中央処理装置（ＣＰＵ）を含む半導体集積回路によりＰＨＳ端末１００全体を管理および制御する。さらに、端末制御部１１０は、端末メモリ１１２のプログラムを用いて、通話機能、メール送受信機能、撮像機能、音楽再生機能、ＴＶ視聴機能も遂行する。端末メモリ１１２は、ＲＯＭ、ＲＡＭ、ＥＥＰＲＯＭ、不揮発性ＲＡＭ、フラッシュメモリ、ＨＤＤ等で構成され、端末制御部１１０で処理されるプログラムや音声データ等を記憶する。
【００２３】
表示部１１４は、液晶ディスプレイ、有機ＥＬ(Electro Luminescence)等で構成され、端末メモリ１１２に記憶された、または基地局１２４を介してアプリケーション中継サーバ（図示せず）から提供される、ＷｅｂブラウザやアプリケーションのＧＵＩ（Graphical User Interface）を表示することができる。操作部１１６は、ユーザ入力を受け付ける複数の操作キー、十字キー、ジョイスティック等の可動スイッチ（ハードウェアスイッチ）から構成され、ユーザの操作入力を受け付ける。
【００２４】
音声入力部１１８は、マイク等の音声認識手段で構成され、通話時に入力されたユーザの音声をＰＨＳ端末１００内で処理可能な電気信号に変換する。音声出力部１２０は、スピーカで構成され、ＰＨＳ端末１００で受信した通話相手の音声信号を音声に変えて出力する。また、着信音や、操作部１１６の操作音、アラーム音等も出力できる。
【００２５】
端末無線通信部１２２は、基地局１２４との無線通信を行う。このような無線通信としては、同時双方向通信を実現するため通信経路を時間軸で区分けし交互に送信と受信とを行うＴＤＤ（Time Division Duplex）上で、さらにその送受信時間（フレーム）を複数のタイムスロットに時分割したＴＤＭＡ（Time Division Multiple Access）が採用されている（ＴＤＭＡ／ＴＤＤ方式）。また、高速デジタル通信を可能とする次世代ＰＨＳ通信規格として、ＡＲＩＢ（Association of Radio Industries and Businesses）  ＳＴＤ  Ｔ９５やＰＨＳ  ＭｏＵ（Memorandum of Understanding）も採用が検討されている。
【００２６】
また、装飾部１０４は、下地層、透明性の部材、表面層を含んで構成される。
【００２７】
図３は、装飾部１０４の構成を示した説明図である。図３に示すように、筐体１０２の表示部１１４および操作部１１６が配された面の少なくとも操作部１１６を含む領域に、装飾部１０４としての下地層１３０、透明性の部材１３２、表面層１３４が、その順に積層されている。
【００２８】
下地層１３０は、所定の模様、本実施形態では筐体１０２に色調を合わせた花柄の模様を形成し、表面層１３４は、下地層１３０の模様に相関する（相互に関係し合う）、同系色の模様を形成する。かかる下地層１３０と表面層１３４はそれぞれ透明性の部材１３２の裏面と表面に位置する。
【００２９】
かかる下地層１３０と表面層１３４は、貼付または印刷により透明性の部材１３２に付されてその装飾部１０４ごと筐体１０２に当接されてもよいし、筐体１０２に直接積層されてもよい。このようにして形成された下地層１３０や表面層１３４の厚みは１０ミクロン前後となる。
【００３０】
透明性の部材１３２は、アクリル系樹脂、エポキシ系樹脂、ポリエチレンテレフタレート、ポリスチレン等のプラスチックから形成され、ＰＨＳ端末１００の前面の強度を補う。
【００３１】
このように、ＰＨＳ端末１００前面に亘って形成される装飾部１０４の透明性の部材１３２によって、その強度を保ちつつ、美観を向上させることができる。また、透明性の部材１３２の光透過性により、装飾部自体が本体と一体的に認識されず、表面の付帯物として認識され、実際の寸法より薄くかつ軽いようにユーザに認識させることができる。
【００３２】
また、透明性の部材１３２を挟んで下地層１３０および表面層１３４の両層に互いに相関する模様を施すことで、装飾部１０４に、立体感や視認角度に応じた外観の変化を生じさせることが可能となり、下地層１３０の模様と表面層１３４の模様の調和およびその意外性から嗜好性を高めることができる。
【００３３】
さらに、操作部１１６を含むＰＨＳ端末１００前面に亘って下地層１３０および表面層１３４の両層に模様が一体的かつ連続的（シームレス）に施されることで、操作部１１６の存在を意識させないようにでき、極論的にはユーザに対してＰＨＳ端末１００として認識させずに、何らかの美術品のような感覚を与えることができる。こうして、高級感やユーザの購買欲を向上させることが可能となる。
【００３４】
また、透明性の部材１３２は、図３に示すように、下地層１３０および表面層１３４の模様と同系統の色彩に染着されている。かかる染着は、透明の素材に染料を混ぜることによって為される。
【００３５】
かかる構成により、下地層１３０および表面層１３４の両層の模様に透明性の部材１３２も馴染むこととなり、装飾部１０４にさらなる立体感や視認角度による外観の変化が生じ、下地層１３０の模様と表面層１３４の模様とが当該透明性の部材１３２の両面でさらに調和し、高級感やユーザの購買欲を向上させることが可能となる。
【００３６】
また、透明性の部材１３２の操作キーに対応するキートップ部は、その機能を示すマークが透明性の部材１３２の凹凸によって形成され、色彩によっては識別できない。
【００３７】
図４は、透明性の部材１３２の、操作キー１５０に対応する部分の形状を説明するための説明図である。特に図４（ａ）は、その部分の斜視図を、図４（ｂ）は、図４（ａ）におけるＡＡ断面図を示している。ここでは操作部１１６の各操作キー１５０に対応したキートップ部１５２が簡易な防水性を有するシリコンゴム１５４を介して配され、それぞれの操作キー１５０の外形に合わせて独立して変位する。
【００３８】
ここでは、操作キー１５０の機能を示すマーク、例えば、数字を、敢えて色彩によっては認識できないようにして美観を優先する。電話番号を入力する際の数字入力として機能する操作キー１５０は、従来から同一の並びで配列されており、たとえ数字自体を意識的に表示しなくても、ユーザは潜在的に数字の位置を認識している。従って、数字入力に用いられる操作キー１５０に対応するキートップ部１５２は、周囲と同様に透明性の部材１３２で形成されていてもその機能を遂行することが可能である。
【００３９】
このように操作キー１５０の機能を示すマーク、例えば数字等を他の部位同様に透明性の部材１３２で形成することで、操作部１１６の領域を通じても美観を奏することができ、また、その光透過性から操作部１１６の存在をユーザにより強く意識させないことが可能となる。
【００４０】
加えて、表示部１１４は、装飾部１０４の模様に相関かつ連続した模様の画像を表示できる。
【００４１】
図５は、表示部１１４の表示例を示した斜視図である。ここでは、電源投入時や待ち受け時において、表示部１１４に、装飾部１０４の模様に相関かつ連続した模様を表示させる。
【００４２】
かかる構成により、表示部１１４も含むＰＨＳ端末１００前面に亘って下地層１３０および表面層１３４の両層に模様が一体的かつ連続的（シームレス）に施されることで、操作部１１６に加えて表示部１１４の存在をユーザにより強く意識さないことが可能となる。
【００４３】
以上説明したＰＨＳ端末１００によって、強度を保ちつつ外装の美観を向上させ、表示部１１４や操作部１１６といったユーザインターフェースにも一体的に装飾を施すことで、高級感や購買欲を向上させることが可能となる。
【００４４】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００４５】
例えば、上述した実施形態において、装飾部は筐体の前面に積層する構成を例示しているが、かかる場合に限らず、筐体の側面や背面に積層することも可能である。
【００４６】
また、上述した実施形態では、携帯端末として、ストレート型のＰＨＳ端末を例示しているがかかる形状に限られず、使用状態において表示部と操作部が同一側の面に配される、折り畳み式端末、スライド式端末、フリップ式端末にも適用可能である。
【産業上の利用可能性】
【００４７】
本発明は、基地局と無線通信可能な携帯端末に利用することができる。
【図面の簡単な説明】
【００４８】
【図１】携帯端末としてのＰＨＳ端末のハードウェア構成を示した機能ブロック図である。
【図２】ＰＨＳ端末の外観を示した斜視図である。
【図３】装飾部の構成を示した説明図である。
【図４】透明性の部材の、操作キーに対応する部分の形状を説明するための説明図である。
【図５】表示部の表示例を示した斜視図である。
【符号の説明】
【００４９】
１００  …ＰＨＳ端末（携帯端末）
１０２  …筐体
１０４  …装飾部
１１４  …表示部
１１６  …操作部
１３０  …下地層
１３２  …透明性の部材
１３４  …表面層
１５０  …操作キー
１５２  …キートップ部
【図１】
2010011086.tif 000003
【図４】
2010011086.tif 000004
【図２】
2010011086.tif 000005
【図３】
2010011086.tif 000006
【図５】
2010011086.tif 000007